(57)【要約】【課題】容器基台の構造を簡潔にし、掃除性のよいインターロック機能を有する電動調理機を提供する。【解決手段】電動機３を内蔵する本体１と、前記本体１に着脱自在に載置されると共に前記電動機３により回転駆動されるカッター４を有する容器基台５と、前記容器基台５に着脱自在に取り付けられる容器７と、前記容器７の上部開口７ａを覆う蓋８と、前記電動機３をインターロックするインターロック装置１０と、ＲＦＩＤアンテナ１１とを備え、前記蓋８に蓋ＲＦＩＤ１４を設け、前記ＲＦＩＤアンテナ１１が前記蓋ＲＦＩＤ１４を検出すると、前記インターロック装置１０が前記電動機３のインターロックを解除するもので、構造が簡単で掃除性のよいインターロック機能を有する電動調理機を提供することができる。【選択図】図１
2010004913.tif 000002
【特許請求の範囲】
【請求項１】
電動機を内蔵する本体と、前記本体に着脱自在に載置されると共に前記電動機により回転駆動されるカッターを有する容器基台と、前記容器基台に着脱自在に取り付けられる容器と、前記容器の上部開口を覆う蓋と、前記電動機をインターロックするインターロック装置と、ＲＦＩＤアンテナとを備え、前記容器基台、容器、蓋の少なくとも一つにＲＦＩＤを設け、前記ＲＦＩＤアンテナが前記ＲＦＩＤを検出すると、前記インターロック装置が前記電動機のインターロックを解除する電動調理機。
【請求項２】
容器基台と、容器と、蓋のそれぞれにＲＦＩＤを設け、ＲＦＩＤアンテナが前記ＲＦＩＤのすべてを検出したときに、電動機のインターロックを解除する請求項１に記載の電動調理機。
【請求項３】
容器基台、容器、蓋のそれぞれに設けたＲＦＩＤ全てを１個のＲＦＩＤアンテナで検出するようにした請求項２に記載の電動調理機。
【請求項４】
ＲＦＩＤアンテナを高指向性にしてＲＦＩＤを検出可能な方位範囲を狭くした請求項１〜３のいずれか１項に記載の電動調理機。
【請求項５】
ＲＦＩＤアンテナは、ＲＦＩＤからの受信反射波の強度を測定し、受信反射波の強度が所定の上限値と下限値の範囲内にあるときのみに電動機のインターロックを解除するようにした請求項１〜４のいずれか１項に記載の電動調理機。
【請求項６】
ＲＦＩＤの検出可能な方位範囲を狭くした高指向性のＲＦＩＤアンテナを複数個配置し、前記ＲＦＩＤアンテナの全てがＲＦＩＤを同時に検出すると電動機のインターロックを解除する請求項１に記載の電動調理機。
【発明の詳細な説明】
【技術分野】
【０００１】
本発明は、電動調理機に関するもので、特に、カッターなどの可動部に対するインターロックの構成に関するものである。
【背景技術】
【０００２】
従来、電動調理機のカッターなどの可動部に対するインターロックの構成は、カッターなどに対する保護部品の有無を検出する検出部材で機械的に構成している（例えば、特許文献１参照）。
【特許文献１】特開２００３−７０６５８号公報
【発明の開示】
【発明が解決しようとする課題】
【０００３】
しかしながら、上記特許文献１に記載されたような従来の電動調理機の構成によると、容器が取り付けられる共に調理機本体に載置される容器基台に検出部材を配置するため、構造が複雑化し、また清掃しにくくなるという課題を有していた。
【０００４】
本発明は、前記従来の課題を解決するもので、容器基台の構造を簡潔にし、掃除性のよいインターロック機能を有する電動調理機を提供することを目的とする。
【課題を解決するための手段】
【０００５】
上記従来の課題を解決するために、本発明の電動調理機は、電動機を内蔵する本体と、前記本体に着脱自在に載置されると共に前記電動機により回転駆動されるカッターを有する容器基台と、前記容器基台に着脱自在に取り付けられる容器と、前記容器の上部開口を覆う蓋と、前記電動機をインターロックするインターロック装置と、ＲＦＩＤアンテナとを備え、前記容器基台、容器、蓋の少なくと一つにＲＦＩＤを設け、前記ＲＦＩＤアンテナが前記ＲＦＩＤを検出すると、前記インターロック装置が前記電動機のインターロックを解除するもので、構造が簡単で掃除性のよいインターロック機能を有する電動調理機を得ることができる。
【発明の効果】
【０００６】
本発明の電動調理機は、容器基台に機械的な検出部材を配置する必要がなく、簡単な構造でインターロック機能を構成し、掃除性に優れたものである。
【発明を実施するための最良の形態】
【０００７】
第１の発明は、電動機を内蔵する本体と、前記本体に着脱自在に載置されると共に前記電動機により回転駆動されるカッターを有する容器基台と、前記容器基台に着脱自在に取り付けられる容器と、前記容器の上部開口を覆う蓋と、前記電動機をインターロックするインターロック装置と、ＲＦＩＤアンテナとを備え、前記容器基台、容器、蓋の少なくとも一つにＲＦＩＤを設け、前記ＲＦＩＤアンテナが前記ＲＦＩＤを検出すると、前記インターロック装置が前記電動機のインターロックを解除するもので、構造が簡単で掃除性のよいインターロック機能を有する電動調理機を得ることができる。
【０００８】
第２の発明は、特に、第１の発明の容器基台と、容器と、蓋のそれぞれにＲＦＩＤを設け、ＲＦＩＤアンテナが前記ＲＦＩＤのすべてを検出したときに、電動機のインターロックを解除するもので、第１の発明と同様にインターロックの構造を簡素化することができるとともに、着脱可能な容器基台、容器、蓋の各構成部材がそろったときだけインターロックを解除することができる。
【０００９】
第３の発明は、特に、第２の発明の容器基台、容器、蓋のそれぞれに設けたＲＦＩＤ全てを１個のＲＦＩＤアンテナで検出するようにしたもので、本体内のＲＦＩＤアンテナの構成を簡単にすることができる。
【００１０】
第４の発明は、特に、第１〜３のいずれか一つの発明のＲＦＩＤアンテナを高指向性にしてＲＦＩＤを検出可能な方位範囲を狭くしたもので、容器基台、容器、蓋のどれか或いは全てに設けたＲＦＩＤが所定の正しい方位に存在するときのみにＲＦＩＤを検出するようにすることができるようになる。
【００１１】
第５の発明は、特に、第１〜４のいずれか一つの発明のＲＦＩＤアンテナは、ＲＦＩＤからの受信反射波の強度を測定し、受信反射波の強度が所定の上限値と下限値の範囲内にあるときのみに電動機のインターロックを解除するようにしたもので、容器基台、容器、蓋のどれか或いは全てに設けたＲＦＩＤが所定の正しい距離に存在するときのみにＲＦＩＤを検出するようにすることができるようになる。
【００１２】
第６の発明は、特に、第１の発明のＲＦＩＤの検出可能な方位範囲を狭くした高指向性のＲＦＩＤアンテナを複数個配置し、前記ＲＦＩＤアンテナの全てがＲＦＩＤを同時に検出すると電動機のインターロックを解除するもので、ＲＦＩＤが設けられ容器基台、容器、蓋のいずれかが正しく組み立てられたときに、そのＲＦＩＤが配置される位置を、各ＲＦＩＤアンテナのＲＦＩＤ検出可能範囲の交わる領域に合わせて設定するようにすれば、そのＲＦＩＤが所定の正しい位置にあるときのみ、すなわちＲＦＩＤが設けられ容器基台、容器、蓋のいずれかが正しく組み立てられたときに、インターロックを解除するようにできる。
【００１３】
以下、本発明の実施の形態について、図面を参照しながら説明する。なお、この実施の形態によって本発明が限定されるものではない。
【００１４】
（実施の形態１）
図１は、本発明の実施の形態１における電動調理機の縦断面図である。
【００１５】
図１において、１は、本実施の形態における電動調理機の本体で、上部に駆動コネクタ２を備えた電動機３を内蔵している。本体１の上には、カッター４を備えた容器基台５を着脱自在に載置している。カッター４の下部には、駆動コネクタ２と係合する従動コネクタ６を設けており、電動機３を駆動することにより、カッター４を回転駆動させるようになっている。
【００１６】
容器基台５には、容器７を着脱自在に取り付けており、さらに容器７の上部開口７ａには蓋８を着脱自在に取り付けている。また、電動機３は、電源回路２５内で、操作スイッチ９と直列に接続されたインターロック装置１０によりインターロックされており、インターロック装置１０は、ＲＦＩＤの検知可能な方位範囲を狭くした高指向性のＲＦＩＤアンテナ１１からの信号を受けてインターロックの動作と解除、すなわち、電動機３に接続された電源回路２５の切り、入りを行っている。
【００１７】
一方、容器基台５、容器７及び蓋８の、ＲＦＩＤアンテナ１１のＲＦＩＤの検出可能な方位範囲に相当する位置には、図１に示すように、容器基台ＲＦＩＤ１２、容器ＲＦＩＤ１３、蓋ＲＦＩＤ１４がそれぞれ埋設されており、さらにＲＦＩＤアンテナ１１は、容器基台ＲＦＩＤ１２、容器ＲＦＩＤ１３、蓋ＲＦＩＤ１４のそれぞれからの受信反射波の強度を測定し、すべてのＲＦＩＤの反射波の強度レベルが、容器基台５、容器７及び蓋８が正しく組み立てられたときのそれぞれのＲＦＩＤまでの距離に相当する範囲をカバーする
ように設定した上限値と下限値の範囲内にあるときのみに、電動機３のインターロックを解除するようにしたものである。
【００１８】
以上のように、本実施の形態によれば、容器基台５、容器７及び蓋８が正しく組み立てられ、容器基台ＲＦＩＤ１２、容器ＲＦＩＤ１３、蓋ＲＦＩＤ１４が所定の方位および距離にあるときのみ、すなわち、容器基台５、容器７及び蓋８が正しく組み立てられ、更に容器基台５が、本体１の所定の位置に載置されて、はじめてインターロックが解除されるものである。
【００１９】
（実施の形態２）
図２は、本発明の実施の形態２における電動調理機の縦断面図である。なお、上記第１の実施の形態における電動調理機と同一部分には、同一符号を付してその説明を省略する。
【００２０】
図２において、本実施の形態における電動調理機は、本体１に載置されると共に回転自在のカッター４を有する容器基台２０と、容器基台２０に着脱自在に取り付けられる容器２１と、容器２１の上部開口２１ａに着脱自在に取り付けられると共に、蓋ＲＦＩＤ１８を埋設した蓋１７と、それぞれＲＦＩＤの検知可能な方位範囲を狭くした高指向性の第１のＲＦＩＤアンテナ１５と第２のＲＦＩＤアンテナ１６を設け、第１のＲＦＩＤアンテナ１５と第２のＲＦＩＤアンテナ１６のそれぞれのＲＦＩＤの検知可能な方位範囲の交差する部分を、容器基台２０、容器２１及び蓋１７を正しく組み立てたときの蓋１７の蓋ＲＦＩＤ１８が来る位置と一致させている。
【００２１】
また、電動機３は、操作スイッチ９と直列に接続されたインターロック装置１９によりインターロックされており、インターロック装置１９は、第１のＲＦＩＤアンテナ１５と第２のＲＦＩＤアンテナ１６の両方が同時に蓋ＲＦＩＤ１８を検出したときのみにインターロックを解除するようにしている。
【００２２】
本実施の形態における電動調理機は、以上のように構成されているので、容器基台２０、容器２１及び蓋１７が正しく組み立てられて、蓋１７の蓋ＲＦＩＤ１８が正規の位置にあるときのみにインターロックを解除することができるものである。特に本実施の形態では、蓋１７より下方の容器２１や容器基台２０といった調理容器部品にＲＦＩＤを埋設する必要が無いので安価に電動調理機を構成することができる。
【産業上の利用可能性】
【００２３】
以上のように本発明にかかる電動調理機は、カッターなどの可動部への接触防止に対してのガード部材の有無を検出してインターロックを動作させる機器の安全装置に利用できる。
【図面の簡単な説明】
【００２４】
【図１】本発明の実施の形態１における電動調理機の縦断面図
【図２】本発明の実施の形態２における電動調理機の縦断面図
【符号の説明】
【００２５】
１  本体
３  電動機
４  カッター
５、２０  容器基台
７、２１  容器
７ａ、２１ａ  上部開口
８、１７  蓋
１０、１９  インターロック装置  
１１  ＲＦＩＤアンテナ
１２  容器基台ＲＦＩＤ（ＲＦＩＤ）
１３  容器ＲＦＩＤ（ＲＦＩＤ）
１４、１８  蓋ＲＦＩＤ（ＲＦＩＤ）  
１５  第１のＲＦＩＤアンテナ（ＲＦＩＤアンテナ）
１６  第２のＲＦＩＤアンテナ（ＲＦＩＤアンテナ）
【図１】
2010004913.tif 000003
【図２】
2010004913.tif 000004